(57)【特許請求の範囲】
【請求項１】
加工の選択、変更、確認等の加工の実施に関する表示内容を複数に分け必要な表示内容に切り替えて表示するメーン画面の表示手段と、このメーン画面を非表示と表示に切り替える手段と、このメーン画面の表示内容を実施する手段を設けた画像形成装置において、このメーン画面の表示手段以外にコピーに関する加工内容を常時告知する事が出来る告知部と、一つの指示で使用者が選択した告知部の加工内容を選択し選択した加工内容での加工の実施を指示する指示部を備えた指示手段を設けた画像形成装置。
【請求項２】
このメーン画面が、非表示状態でも、表示状態でも、コピーに関する加工を実施できる手段を設けた請求項１の画像形成装置。
【請求項３】
このメーン画面の表示前に、コピーに関する加工の指示を出す事が出来る手段を設けた請求項１の画像形成装置。
【請求項４】
前記のコピーに関する加工が、倍率や用紙サイズなどの複数の加工条件からなるメニューを登録したコピーの加工である請求項１、２、３の画像形成装置。
【請求項５】
前記のコピーに関する加工が、次回にコピ−をする為の原稿原画の情報の保存である請求項１、２、３の画像形成装置。
【請求項６】
前記のコピーに関する加工が、保存した原稿原画の情報のコピーの加工である請求項１、２、３の画像形成装置。
【発明の詳細な説明】
【技術分野】
【０００１】
コピー機や、コピー機能を装備した複合機等の画像形成装置に関する。
【背景技術】
【０００２】
本発明に関わる背景技術を要約すると、次に挙げる事ができる。
（１）、多メニュー化した画像形成装置において、加工に関わる表示を分割して表示する画面の表示手段は、不可欠である。
（２）、しかし、この画面の表示手段は、加工を行う為の指示による指示ミスが発生する。或いは、指示に手間や時間を要す。
（３）、更に、この画面の表示手段は、画面の表示や画面の切り替えに電力や時間を要す。
【０００３】
詳しく、これを著すと、………
現在の、コピー機や、コピー機能を装備した複合機等の画像形成装置は、使用者が選択できる加工内容を非常に多く備えている。
この対策として、この画像形成装置の一つの操作盤上に、多くのキーを並べてこの加工を管理する事は、不明瞭となり、不便である。
【０００４】
現在の画像形成装置の表示手段の主流の技術となっている画面は、倍率や用紙サイズなどの複数の加工条件からなる複数のメニューを選択、変更、確認等の画像形成の加工に関する表示内容を、分割して必要な画面に切り替えて表示する手段であり、複雑な表示内容を解り易く整理し、便利にする手段である。
【０００５】
反面、分割して必要な画面に切り替えて表示する手段は、例えば、各加工条件をグループ別に分類［二段階の分類（大分類→小分類）や三段階の分類（大分類→中分類→小分類）等］して、順次、分類別に表示し、一度で取り出す事が出来ない欠点を所有する。
【０００６】
そこで、この手間を省く為、特許文献１の技術が提案されている。
この特許文献１の技術は、「一度の操作でコピーモードの呼び出し及び登録を行なう事が出来る画像形成装置」と著している。
【０００７】
しかし、この特許文献１の技術の使用者の希望するコピーモードの呼び出しは、使用者の希望するコピーモードが入るコピーモード群の呼び出し（一回目の操作）→呼び出したコピーモード群の中から使用者の希望するコピーモードの呼び出し（二回目の操作）→更に、これを実施する為のスタートキーの押し下げ（三回目の操作）が必要であり、結局の所、一度で取り出す事が出来ない技術である。
【０００８】
図１の（１−１）、（１−２）で示す非特許文献１、２の画面の技術は、電源スイッチ２３を「ＯＮ」に入れると使用者が選択できる最初に表示される印刷メニューに関する画面（図例では、基本設定画面や基本コピー画面）に、最も使用頻度の高いコピーメニューを自動で表示し、スタートキーの押し下げ（一回目の操作）で、コピーを行なう事が出来る技術であるが、この画面の中には、スタートキーが組み込まれておらず、スタートキーを押し下げるまでは、確定されたメニューで無い為、前使用者が変更したメニューに気がつかず、後使用者が誤指示を出す可能性がある技術である。或いは、使用者が前に変更したメニューを忘れ、後で使用者が誤指示を出す可能性がある技術である。
【０００９】
詳しく、これを著すと、例えば、電源スイッチを「ＯＮ」→メニューの自動表示（基本設定画面）→使用者１によるメニューの変更（登録コピー１画面）→使用者２によるメニューの変更（登録コピー２画面）→電源スイッチをＯＦＦ。電源スイッチを「ＯＮ」→メニューの自動表示（基本設定画面）→使用者１によるメニューの変更（登録コピー１画面）→使用者２によるメニューの変更（登録コピー２画面）………に於いて、
「基本設定コピーのつもりでスタートボタンを押したが、登録コピー１や登録コピー２が実施された」、「登録コピー１のつもりでスタートボタンを押したが、基本設定コピーや登録コピー２が実施された」、などと、使用者の意思に関係なく、１つの設定場所（画面）でメニュー内容が人為的、自動的に変化し、簡単にコピーミスを誘発する要因を作り出している。
【００１０】
これらのコピーミスは、日々、最も多く使用される基本設定コピー（登録コピー）に関しており、深刻な問題である。
【００１１】
更に、この基本設定画面は、この画面のメニューを変更する為の画面が併設されている為、メニューを変更する為の画面が不要な時にも、この画面が表示されており、不要な電力が消費されている。
【００１２】
更に、この基本設定画面は、仮に、同一画面に複数のメニュー（例えば、基本設定画面１、基本設定画面２……）を設ける場合は、複数のメニューの中より希望するメニューの選択（一回目の操作）→スタートキーの押し下げ（二回目の操作）が必要である。
【００１３】
更に、特許文献１、非特許文献１、２の技術は、いずれも画面により操作される技術であり、画面表示や画面切り替えに時間を必要とし、電力を消費する技術である。
【００１４】
更に、従来技術には、長時間つけ放しの電源を自動でＯＦＦにするオートパワー機能や、長時間つけ放しの画面を自動で非表示にするパワーセーブモード機能等の消費電力を低減する機能を設けているが、これらの機能は、画面使用時の電力を無くすことはできない。
【００１５】
同様に、前記の画面表示手段を備えた画像形成装置において、原稿原画に記録された情報を保存する技術や保存した原稿原画に記録された情報の加工を行なう技術も、画面を表示し、手間を要する技術である。
【００１６】
特許文献２の技術は、倍率や用紙サイズなどの加工条件の選択と確定とスタートの指示を一つにする手段であるが、加工の選択、変更、確認等の加工の実施に関する表示内容を複数に分け、必要な表示内容に切り替えて表示するメーン画面の表示手段と、この画面を非表示と表示に切り替える手段を設けた画像形成装置に、この特許文献２の原稿優先コピー３や用紙優先コピー１の加工の指示を出す為のキーやこのキーの加工内容を表示した表示部のみを、特別に、画面から取り出して操作部に備え、その他の複数の加工条件やメニュー（例えば、図２では、拡大縮小選択２や用紙選択４や両面片面選択や自動両面コピー等）のキーや表示部を画面内に残して備える事を想定していない。
或は、この特許文献２の原稿優先コピー３や用紙優先コピー１の加工の指示を出す為のキーやこのキーの加工内容を表示した表示部のみを、常時告知し常時実施できる指示手段として設け、その他の複数の加工条件やメニュー（例えば、図２では、拡大縮小選択２や用紙選択４や両面片面選択や自動両面コピー等）のキーや表示部を画面内に設け、特別に、画面を非表示と表示に切り替える指示部を設けた指示手段として備える事を想定していない。
【００１７】
【先行技術文献】
【特許文献】
【００１８】
【特許文献１】特開平１１−２４５１１号公報
【特許文献２】特開Ｓ６２−８１６６２号公報
【非特許文献】
【００１９】
【非特許文献１】ＫｏｎｉｃａＭｉｎｏｌｔａ  Ｂｉｚｈｕｂ、Ｃ３６０説明書
【非特許文献２】ＦｕｊｉＸｅｒｏｘ  ＤｏｃｕｃｅｎｔｒｅＩＩ４０００説明書
【発明の概要】
【発明が解決しようとする課題】
【００２０】
本願発明の「発明が解決しようとする課題」の要約は、前記の背景技術で挙げた画像形成装置設置において、前記の背景技術で挙げた画面の表示手段、指示手段の問題を解決する事にある。
【００２１】
即ち、（１）、加工内容を選択、変更、確認等の画像形成の加工に関する表示内容を、分割して必要な表示に切り替えて表示する表示手段を備えた画像形成装置において、
（２）、使用者の加工の指示ミスを防止し、指示手段の不要な手間や時間を無くす。
（３）、不要な画面の表示や不要な画面の切り替えに関する電力や時間を無くす。
【００２２】
具体的には、倍率や用紙サイズなどの複数の加工条件からなる登録したメニューの加工や、原稿原画の情報の保存や、保存した原稿原画の情報の加工を、加工に関する表示内容を、分割して必要な表示に切り替えて表示する表示手段を備えた画像形成装置に設ける手段の提案にある。
【００２３】
詳しくは、本発明の指示手段の指示部は、一つの指示により、（例えば、電源をＯＮ後にボタンの一押しで、）加工内容を選択し確定し開始する手段であり、この指示手段に関する表示手段は、一つで足り、加工内容を分割して必要な表示に切り替えて表示する必要性はない。
【００２４】
又、本発明の指示手段の指示部は、一つの指示により、加工内容を選択し確定し開始する手段であり、自動的に加工内容を変更する余地がなく、簡単に加工内容の指示ミスを誘発するのを防止し、不要な手間を無くす。
【００２５】
更に、本発明の指示手段の告知部は、加工内容を常時或いは電源をＯＮ後に常時、特定の人に限らず誰でも認識できる様に告知する手段であり、画面（メーン画面）で、同じ加工内容を重複して、表示する必要性はない。
【００２６】
又、本発明の指示手段の告知部は、告知内容を、自動的に加工内容を変更する余地がなくし、使用者が気づかぬ間に、予定したメニューが勝手に変更され、簡単に加工内容の指示ミスを誘発するのを防止し、不要な手間を無くす。
【００２７】
即ち、本発明の指示手段の指示部と告知部は、前記の「発明が解決しようとする課題」の（２）、（３）の課題を解決する。
加えて、倍率や用紙サイズなどの複数の加工条件を変更不可能に登録した固定式登録メニューの告知部を備えた指示手段は、完全に、人為的、自動的に加工内容を変更する余地を無くし、使用者が気づかぬ間に、予定したメニューが勝手に変更され、簡単に加工内容の指示ミスを誘発するのを防止し、不要な手間を無くす。
【００２８】
【００２９】
倍率や用紙サイズなどの複数の加工条件の登録メニューを、変更可能に登録する変更式登録メニューの告知部を備えた指示手段は、多様な登録手段を設け、用途を広げる。
【００３０】
加工の選択、変更、確認等の加工の実施に関する表示内容を複数に分け、必要な表示内容に切り替えて表示する表示手段に、電源がＯＮでもＯＦＦでも手動により設定できる表示と非表示に切り替える手段を設け、前記の表示手段を手動により非表示に切り替えて、この加工を実施する指示手段は、更に、不要な画面に関する電力や時間を、積極的に無くす事を可能にする。
【課題を解決するための手段】
【００３１】
請求項１の発明は、加工の選択、変更、確認等の加工の実施に関する表示内容を複数に分け必要な表示内容に切り替えて表示するメーン画面の表示手段と、このメーン画面を非表示と表示に切り替える手段と、このメーン画面の表示内容を実施する手段を設けた画像形成装置において、このメーン画面の表示手段以外にコピーに関する加工内容を常時告知する事が出来る告知部と、一つの指示で使用者が選択した告知部の加工内容を選択し選択した加工内容での加工の実施を指示する指示部を備えた指示手段を設けた画像形成装置である。
【００３２】
請求項２の発明は、このメーン画面が、非表示状態でも、表示状態でも、コピーに関する加工を実施できる手段を設けた請求項１の画像形成装置である。
【００３３】
請求項３の発明は、このメーン画面の表示前に、コピーに関する加工の指示を出す事が出来る手段を設けた請求項１の画像形成装置である。
【００３４】
請求項４の発明は、前記のコピーに関する加工が、倍率や用紙サイズなどの複数の加工条件からなるメニューを登録したコピーの加工である請求項１、２、３の画像形成装置である。
【００３５】
請求項５の発明は、前記のコピーに関する加工が、次回にコピ−をする為の原稿原画の情報の保存である請求項１、２、３の画像形成装置である。
【００３６】
請求項６の発明は、前記のコピーに関する加工が、保存した原稿原画の情報のコピーの加工である請求項１、２、３の画像形成装置である。
【００３７】
【００３８】
【００３９】
【００４０】
【００４１】
【００４２】
【００４３】
【００４４】
【００４５】
【００４６】
【００４７】
【００４８】
【００４９】
【００５０】
【００５１】
【００５２】
【発明の効果】
【００５３】
概しては、「発明が解決しようとする課題」の要約で挙げた通り、前記の「背景技術」で挙げた画面の表示手段、指示手段の問題を解決する。
即ち、（１）、加工内容を選択、変更、確認等の画像形成の加工に関する表示内容を、分割して必要な表示に切り替えて表示する表示手段を備えた画像形成装置において、
（２）、使用者の加工の指示ミスを防止し、指示手段の不要な手間や時間を無くす。
（３）、不要な画面の表示や不要な画面の切り替えに関する電力や時間を無くす。
【００５４】
詳しくは、倍率や用紙サイズなどの複数の加工条件からなる登録したメニューの加工や、原稿原画の情報の保存や、保存した原稿原画の情報の加工の実施を、電源スイッチを「ＯＮ」後に、一つの指示で、選択し確定し開始する指示を出す指示部と、この加工内容を、常時告知する告知部を備える本発明の指示手段を設ける事により、指示ミスを無くし、手間を減らし、画面が非表示の状態でも、実行可能にして、画面に関する消費電力を減らし、作業を短時間に開始し実施できる。
【００５５】
更に、詳しくは、使用者が気づかぬ間に、予定したメニューが勝手に変更され簡単に指示ミスを誘発するのを防止し、不要な画面の表示や不要な画面の切り替えに関する電力や時間を無くし、特定の人だけでなく、誰でもが操作できる。
【００５６】
前記の手段を備えた画像形成装置に、電源のＯＮ時やＯＦＦ時に、画面に表示と非表示の手動による切り替え手段を設ける事により、更に、使用者により、積極的に、不要な画面の表示を無くし、画面に関する電力や時間を無くす。
【００５７】
画面が非表示の状態でも、実行可能にして、画面に関する消費電力を減らす。
更に、画面を表示する場合でも、画面の表示が完了するのを待つ事無く作業が開始でき、作業が短時間に開始できる。
【００５８】
電源スイッチ２３を「ＯＮ」後に、必要な時に、一つの指示で、非表示のメニューの変更画面を表示し、画面に関する消費電力を減らす。
更に、この加工に関する手間を減らし、作業時間を短縮する。
【００５９】
数字キーの指示で、登録・保存メニューの加工を可能にする事により、登録・保存メニュー数を制限する事無く設定する事を可能にし、番号の振り割や管理者の記憶により管理を容易にし、画面が非表示の状態でも、登録・保存メニューの加工の実施を可能にする。
即ち、本発明を簡略に便利に使用する事を可能する。
【００６０】
【図面の簡単な説明】
【００６１】
【図１】従来技術の画面の概略図。
【図２】本発明の操作盤、サブ操作盤、画面の概略図。
【図３】本発明の操作盤の概略図。
【図４】本発明のメニューの変更画面の概略図。
【図５】本発明の登録・保存メニューの画面の概略図。
【図６】本発明のサブ操作盤の概略図。
【発明を実施するための形態】
【００６２】
図２は、本発明の概略を示す代表図であり、コピー機や、コピー機能を装備した複合機等の画像形成装置の操作部に関する概略図であり、操作盤１、サブ操作盤２０、画面２（メーン画面）の構成を示す。
【００６３】
操作盤１に関して、図３で著している。
【００６４】
サブ操作盤２０に関して、図６で著している。
尚、図例では、サブ操作盤２０の未使用時には、操作盤１の下に収納し（図２の２−１）、使用時には、引き出す（図２の２−２）手段を設けている。
【００６５】
画面２は、画像形成の加工の選択、変更、確認等の加工を実施する為の情報を表示する。
この画面に関して、図２、４、５で著している。
尚、本発明の画面２は、メーンとなる画面であり、図２の非表示画面２Ａや、図４のメニューの変更画面２Ｂ、図５の登録・保存メニューの画面２Ｃの表示画面や、従来技術においては、図１で示す基本設定画面（１−１）や基本コピー画面（１−２）の表示内容を表示する画面が相当する。
【００６６】
図３は、画像形成の加工を実施する為の操作盤１の概略を示す代表図であり、各種の加工を実施する為の手段等を備える。
【００６７】
本発明の加工の実施の指示を出す為の指示手段は、告知部と指示部から構成され、告知部は、登録メニューの告知部３の固定式登録メニューの告知部３Ａ、変更式登録メニューの告知部３Ｂ等に区分され、指示部は、登録メニューのスタート指示部４、原稿原画の情報の保存指示部５、登録・保存メニューのスタート指示部１０Ｂ（数字キー）等に区分される。
【００６８】
登録メニューの告知部３は、加工内容を、常時表示し、加工内容を使用者に告知する手段であり、加工内容を画面２（メーン画面）（図２）やその他に表示する必要がなく、特定の人だけでなく、使用者全員がメニュー内容を目視で理解し、利用でき、画面（メーン画面）表示の電力や時間を必要とせず、画像形成の加工を実施するエコ手段を可能にする。
尚、「常時」は、「電源をＯＮしてからＯＦＦするまで」或いは「電源のＯＮでもＯＦＦでも」である。
【００６９】
登録メニューの告知部３に表示する加工内容は、登録メニュー名（例えば、「標準コピー」、「紙、インクを半分にする。」）や登録メニューの内容（例えば、「倍率１００％、サイズ自動、枚数１枚」、「倍率７０％、サイズ自動、カラーモノクロ、枚数１枚」）や原稿原画の情報名（例えば、「生産日報」、「修理伝票」、「提案用紙」）や原稿原画の情報の内容（例えば、原稿原画の情報の一部の表示や原稿原画の情報を縮小した一部の表示）や登録・保存番号（登録メニューや保存した原稿原画の情報に付した番号）の一つ或いは複数を表示する告知手段である。
【００７０】
固定式登録メニューの告知部３Ａは、例えば、画像形成装置の生産者が、予め設定した倍率や用紙サイズなどの複数の加工条件からなる画像形成の加工メニューを、この告知部３Ａに、変更不可能に登録している。
図例では、最も使用頻度の高いメニューである「標準コピー」を固定式登録メニューとして、表示内容を記載したシールやプレート等を操作盤１の表示位置（告知部３Ａ）に貼り付け或いは操作盤１の表示位置（告知部３Ａ）に印刷等手段で記載し、必要に応じて照明手段や拡大手段を併設し、常時変更不可能に登録、表示している。
【００７１】
尚、「標準コピー」は、倍率が１００％、用紙サイズが自動、加工枚数が１枚、片面印刷、集約印刷が無、透かし印刷が無、製本印刷が無、裏写り防止印刷が無、印章印刷が無、ブック対応印刷が無、綴じ代印刷が無などの加工条件からなるメニューであり、従来技術の「基本設定メニュー」や「基本コピーメニュー」の加工条件に相当する。
【００７２】
変更式登録メニューの告知部３Ｂは、画像形成装置の使用者が希望する倍率や用紙サイズなどの複数の加工条件を、常時表示し、変更可能に登録する部であり、一つの変更式登録メニューの告知部３Ｂは、登録したメニューを変更可能にし、複数の加工メニューの登録に対応する。
【００７３】
図例では、変更式登録メニューの告知部３Ｂは、サブ画面或は印刷物或は照明手段や拡大手段を併設した印刷物などによる表示手段を設け、「紙、インクを半分にする。」のコピーメニュー（倍率が７０％、用紙サイズが自動、カラーがモノクロ、加工枚数が１枚、などの加工条件からなるメニュー）を、変更式登録メニューとして、この変更式登録メニューの告知部３Ｂに登録している。
【００７４】
変更式登録メニューの登録（変更）手段は、メニューの変更画面２Ｂ（図４）、登録・保存メニューの画面２Ｃ（図５）、等であり、これらの登録（変更）手段は、この変更式登録メニューの告知部３Ｂ（図３）以外の場所に設け、容易なメニューの変更を防止し、メニューの変更に係わる誤操作を防止する。
【００７５】
更に、登録メニューの告知部３は、複数の設置が可能であり、変更の必要の無い専用メニューの告知部として使用が可能である。
【００７６】
固定式登録メニューの告知部３Ａの表示用途は、例えば、「標準コピー」、「紙、インクを半分にする」、「エココピ−」（縮小倍率指定、用紙サイズ自動）、「用紙サイズ優先コピー」（用紙サイズ指定、倍率自動）等が適している。
変更式登録メニューの告知部３Ｂの表示用途は、例えば、前記の固定式登録メニューの未登録メニュー、使用頻度の高いメニュー、使用頻度の高い保存した原稿原画の情報等が適している。
【００７７】
特に、保存した原稿原画の情報の（迅速でエコな）コピーの加工は、「予め、コピーをしておく。」から「必要な時にコピーをする。」と、コピー概念を変え、余分な枚数のコピーを無くし、節約を可能にする。
【００７８】
登録メニューのスタート指示部４ａである「カラーＴスタート」、「モノクロＴスタート」、「Ｔスタート」の各ボタンは、電源スイッチ２３を「ＯＮ」後に、選択した登録メニューの告知部３Ａ、３Ｂの複数の加工条件から成るメニューの加工をこの一押しで実施する。
【００７９】
例えば、固定式登録メニューの告知部３Ａの「標準コピー」メニューの「カラーＴスタート」４ａのボタンを一押しすると、「標準コピー」のメニューの加工条件（倍率が１００％、用紙サイズが自動、加工枚数が１枚、片面印刷、集約印刷が無、透かし印刷が無、製本印刷が無、裏写り防止印刷が無、印章印刷が無、ブック対応印刷が無、綴じ代印刷が無など）が選択され、カラーコピーの加工をスタートし、実施する。
【００８０】
尚、加工枚数の枚数変更は、登録メニューのスタート指示部４ａの押し下げ前に、枚数の変更指示部１０Ａ（数字キー）の押し下げにより実施する。
【００８１】
登録メニューのスタート指示部４ａによる加工は、画面２や登録メニューの告知部３Ａ、３Ｂが表示でも非表示でも実施可能である。
【００８２】
原稿原画の情報の保存指示部５ａである「カラー情報保存」、「モノクロ情報保存」、「情報保存」の各ボタンは、電源スイッチ２３を「ＯＮ」後に、ガラス盤上にセットした原稿原画に記録された情報の保存を、この一押しで実施する。
【００８３】
例えば、「カラー情報保存」の一押しにより、走査等の原稿原画の情報の読み取り手段により原稿原画の情報を読み取り、装置の記憶装置に保存し、次回のコピー時に、この原稿原画を持参する必要が無く、この原稿原画をガラス板上にセットする必要が無く、登録メニューの告知部の加工条件のコピーを行なう事ができる。
【００８４】
原稿原画の情報の保存指示部５ａによる情報保存の加工条件は、選択した「カラー情報保存」、「モノクロ情報保存」、「情報保存」の各ボタンの登録メニューの告知部３Ａ、３Ｂに表示されているメニュー（加工条件）で実施される。
【００８５】
例えば、固定式登録メニューの告知部３Ａの「標準コピー」メニューの「カラー情報保存」のボタンを一押しすると、「標準コピー」のメニューの加工条件（倍率が１００％、用紙サイズが自動、加工枚数が１枚、片面印刷、集約印刷が無、透かし印刷が無、製本印刷が無、裏写り防止印刷が無、印章印刷が無、ブック対応印刷が無、綴じ代印刷が無など）が選択され、カラー条件で原稿原画の情報保存を実施する。
【００８６】
原稿原画の情報の保存指示部５ａで保存した情報は、図５の登録・保存メニューの画面２Ｃに自動で収納される。
【００８７】
尚、原稿原画の情報の保存指示部５ａで保存した情報を、登録・保存メニューの画面２Ｃ以外に、複数に設けた変更式登録メニューの告知部３Ｂを選択して収納する手段を設ける場合は、原稿原画の情報の保存指示部５ａの選択後に、例えば、登録・保存メニューのスタート指示部１０Ｂ（数字キー）で変更式登録メニューの告知部３Ｂに付けた番号（図例では登録１の「１」や登録２の「２」）を指定し、変更式登録メニューの告知部３Ｂに収納する手段を設ける。
例えば、原稿原画の情報の保存指示部５ａの「情報保存」→数字キーの「１」、「＃」で変更式登録メニューの告知部３Ｂの登録１に保存される。
【００８８】
【００８９】
【００９０】
【００９１】
【００９２】
以上著した指示手段は、視覚障害者に対応する音声指示手段を可能にする。
即ち、告知部を、目視で認識する手段から、あらかじめ録音した音声案内を聴覚で認識する手段に、指示部を、目視（指）で実施する手段から、加工内容に対応するキ−ワードを登録しておき、使用者が発音するキーワードに反応し処理する手段に、変更して設ける事ができる。
【００９３】
この音声指示手段は、（ア）複数の加工内容を一つの指示手段で実施する手段が可能である。
【００９４】
前記（ア）は、（ア−１）加工内容を順次音声案内し、希望する加工内容が案内された時に使用者がキ−ワードを発音し、希望する加工を実施する。
（ア−２）使用者が希望する加工内容のキ−ワードを発音し、希望する加工を実施する。
【００９５】
画面切り替えスイッチ７である「画面切替」スイッチは、画面２の「非表示」（「ＯＦＦ」、「ＥＣＯ」）、「表示」の各モードに切り替え可能である。
「ＯＦＦ」のモードの設定は、画面が非通電の非表示の状態である。
「ＥＣＯ」のモードの設定は、画面が待機電力の非表示の状態である。
「表示」のモードの設定は、画面が表示の状態である。
「表示」のモードの設定は、登録・保存メニューの画面２Ｃ或いはメニューの変更画面２Ｂ或いはその他のメーン画面を、電源スイッチ２３の「ＯＮ」等により表示する。
【００９６】
画面切り替えスイッチ７は、電源スイッチ２３が「ＯＦＦ」の状態でも「ＯＮ」の状態でも切り替え可能である。
画面切り替えスイッチ７が「非表示」の状態でも、（「表示」の状態でも、）登録メニューのスタート指示部４、原稿原画の情報の保存指示部５、数字キー１０は、稼動可能である。
【００９７】
電源スイッチ２３が「ＯＦＦ」の状態で、画面切り替えスイッチ７を「非表示」にセットしておけば、電源スイッチ２３の「ＯＮ」時に、手間を要せず、画面に関する電力を節約できる。
画面切り替えスイッチ７が「表示」の状態でも、画面（例えば、メニューの変更画面２Ｂ、登録・保存メニューの画面２Ｃ等）の表示が完了するのを待つ事無く、登録メニューのスタート指示部４、原稿原画の情報の保存指示部５、数字キー１０による作業の開始が可能である。
【００９８】
非表示画面２Ａの状態からの図４のメニューの変更画面２Ｂの表示は、メニューの変更指示部６ａである「変更」ボタンの選択や画面切り替えスイッチ７の「非表示」から「表示」のモードの切り替えにより可能である。
又、非表示画面２Ａの状態からの図５の登録・保存メニューの画面２Ｃの表示は、画面切り替えスイッチ７の「非表示」から「表示」のモードの切り替えにより可能である。
【００９９】
尚、画面切り替えスイッチ７の「非表示」から「表示」のモードの切り替えにより最初に表示される画面を、メニューの変更画面２Ｂ或は登録・保存メニューの画面２Ｃに設定する事により、電源スイッチ２３を「ＯＮ」後に、速やかに、メニューの変更或は登録・保存メニューの加工を可能にする。
【０１００】
尚、画面切り替えスイッチ７により表示された画面が、希望する画面が表示されない場合は、図４、５で示す画面変更の指示部１８ｂ、１８ｃである「画面変更」の表示部の選択により希望する画面の表示の切り替えを可能にする。
或いは、最初に表示する画面を指定できる様に、メニューの変更画面２Ｂや登録・保存メニューの画面２Ｃやその他の画面の表示を選択できるモードを画面切り替えスイッチ７である「画面切替」スイッチに設ける事が可能である。
或いは、メニューの変更画面２Ｂや登録・保存メニューの画面２Ｃやその他の画面の、それぞれの画面を表示する為のそれぞれの専用ボタンを設ける事が可能である。
【０１０１】
登録・保存番号表示部８は、使用者が登録・保存メニューを作成すると、この登録・保存メニューには、使用可能な空き登録・保存番号が順次付き、登録・保存番号表示部８には、この登録・保存番号が表示される。
【０１０２】
登録・保存番号は、登録・保存メニューに付した、削除（人為的な削除や容量オーバーによる自動的な削除）や変更するまで変わらぬ番号である。
【０１０３】
登録・保存番号は、保存した原稿原画に記録された情報と、登録した加工条件を自動的に区分して設ける事を可能にする。
例えば、登録・保存番号に「Ａ」、「Ｂ」などのサブ記号を付けたり、区切り番号の前と後で振り分ける事を可能にする。
尚、「Ａ」、「Ｂ」の付与方法は、例えば、登録・保存メニューのスタート指示部（数字キー）１０Ｂの「０」〜「９」を押す前に、「＊」を一度押すと「Ａ」のサブ記号を付け、「＊」を二度押すと「Ｂ」のサブ記号を付けることを可能にする。
【０１０４】
登録・保存メニューの登録・保存時には、登録・保存番号表示部８の全体或いは数字部分の色の変化や点滅する手段や、登録・保存番号表示部８の付近に赤色や黄色などに点灯或いは点滅する電球を設ける手段により登録・保存番号が変わった事を使用者に明確に告知し、使用者が誤指示を出すのを防止する手段を設ける事が可能である。
【０１０５】
枚数表示部９は、加工枚数を表示する。
【０１０６】
図３の例では、加工枚数を表示する為の枚数表示部９を操作盤１の上方に１つ設けているが、登録メニューの告知部３Ａ、３Ｂのそれぞれの枚数を示す部分に設ける事が可能である。
図３の例では、登録メニューの告知部３Ａ、３Ｂの「標準コピー」、「紙、インクを半分にする。」の各メニューの表示部の「枚数」の「１枚」又は「各１枚」の表示部分を加工枚数に応じて、例えば「２枚」、「３枚」、……や「各２枚」、「各３枚」、……等と変化して表示する表示部の手段を設ける事が可能である。
【０１０７】
枚数変更中を告知する表示部９Ａである「枚数変更中」の電球は、数字キーでの加工枚数の変更時に、赤色や黄色などに点灯或いは点滅し、メニューや登録・保存メニューの設定枚数と異なる事を、使用者に明確に告知し、使用者が誤指示を出すのを防止する。
図３の代表例以外に、枚数表示部９の全体或いは数字部分の色が変化する或いは点滅する等の手段を設ける事が可能である。
【０１０８】
数字キー１０は、登録・保存メニューの加工や加工枚数の指示を行なう。
数字キー１０で登録・保存メニューの加工を行なう場合は、各数字キーの上部の「●」部分の登録・保存メニューのスタート指示部１０Ｂの希望する登録・保存番号のキーを押す事により実施する。
【０１０９】
数字キー１０で加工枚数の指示を行なう場合は、各数字キーの「●」部分以外の枚数の変更指示部１０Ａの希望する枚数のキーを押す事により指定する。
【０１１０】
加工枚数の指定は、操作盤１上の登録メニューのスタート指示部４、登録・保存メニューのスタート指示部１０Ｂ（数字キー）、原稿原画の情報の保存指示部５、スタート指示部２４を押す前に押す。
【０１１１】
数字キー１０の加工枚数の指定と登録・保存メニューの加工の実施の区分は、前記の実施例の他に、同一数字キーで一度押しと続けて二度押し、或いは右に押すと左に押す、或いはそれぞれの場所にそれぞれの専用数字キーの設置等の、それぞれに異なる信号を送る手段により区分される。
【０１１２】
数字キーのロック部１１は、枚数指定や登録・保存メニューの加工の実施の制限を行なう。
数字キーのロック部１１の「枚数」キーを選択すると、数字キーの作業内容が加工枚数の指定に限定される。
数字キーのロック部１１の「登・保」キーを選択すると、数字キーの作業内容が登録・保存メニューの実施の指定に限定される。
【０１１３】
図４は、メニューの変更画面２Ｂを示す。
この画面は、図３のメニューの変更指示部６ａである「変更」ボタンの選択により、非表示の画面から表示される。
又、図５の画面変更の指示部１８ｃである「画面変更」の表示部の選択により、登録・保存メニューの画面から変更される。
【０１１４】
このメニューの変更画面２Ｂに表示されるメニュー内容の表示・変更部２６Ｂは、表示されたメニュー内容の選択、変更、確認等を行う為の表示部であり、この表示部２６ｂに最初に表示される画面は、選択した「変更」ボタン６の登録メニューの告知部３Ａ、３Ｂのメニュー内容、或いは、使用頻度の高いコピーのメニュー内容などを設定することができる。
【０１１５】
例えば、図３において、「紙、インクを半分にする。」の表示部３Ｂの位置にある「変更」ボタン６ａを選択すると、メニュー内容の表示・変更部２６Ｂには、倍率が７０％、用紙サイズが自動、カラーがモノクロ、加工枚数が１枚の加工条件を表示することができる。
或いは、事前設定により、「標準コピー」メニューの倍率が１００％、用紙サイズが自動、カラーが自動、加工枚数が１枚の加工条件を表示することができる。
【０１１６】
加工条件の変更は、非特許文献１、２等の従来技術と同じ要領で実施する。
即ち、メニュー内容の表示・変更部２６Ｂの変更したい加工条件をタッチする。［タッチすると、（先に設定してある、）メニューの加工条件の強調が解除され、（新たに、）タッチした加工条件が強調され、表示されメニュー内容が変更される。］
又、メニュー内容の表示・変更部２６Ｂに表示部されていない変更したい加工条件は、メニュー内容の表示・変更部２６Ｂの上の表示部をタッチし、収納されている加工条件を開示し、変更したい加工条件を選択し、加工条件を変更する。
【０１１７】
前記により変更した加工条件は、これを処理する為の表示部（操作盤にメニューの登録指示部１３ｂ、画面にメニューの登録指示部１４ｂ、原稿原画の情報の保存指示部５ｂ、等）をタッチし、メニューとして処理する。
【０１１８】
操作盤にメニューの登録指示部１３ｂである「操作盤に登録」の表示部は、この一押しにより、変更した加工条件を図３の変更式登録メニューの告知部３Ｂにメニューとして登録をする。
又、「操作盤に登録後スタート」の表示部の一押しは、変更した加工条件を図３の変更式登録メニューの告知部３Ｂにメニューとして登録後、加工をスタート、実施をする。
【０１１９】
画面にメニューの登録指示部１４ｂである「画面に登録」の表示部は、この一押しにより、変更したメニューを図５の登録・保存メニューの画面２Ｃのメニュー内容の表示・変更部２６Ｃに登録をする。
又、「画面に登録後スタート」の表示部の一押しは、変更したメニューを図５の登録・保存メニューの画面２Ｃのメニュー内容の表示・変更部２６Ｃに登録後、加工をスタート、実施をする。
【０１２０】
【０１２１】
原稿原画の情報の保存指示部５ｂである「情報保存」の表示部は、ガラス盤上にセットした原稿原画に記録された情報の保存を、この一押しで実施する。
尚、原稿原画の情報の保存指示部５ｂによる情報保存の加工条件は、変更した登録・保存メニューの加工条件で実施される。
【０１２２】
【０１２３】
【０１２４】
【０１２５】
【０１２６】
【０１２７】
【０１２８】
【０１２９】
【０１３０】
図５は、登録・保存メニューの画面２Ｃを示す。
この画面は、図３の操作盤１上の画面切り替えスイッチ７である「画面切替」スイッチの「表示」モードの設定により表示される。
画面切り替えスイッチ７は、電源スイッチ２３が「ＯＮ」でも、「ＯＦＦ」でも設定できる。
【０１３１】
この登録・保存メニューの画面２Ｃの表示内容は、「ＮＯ」、「区分」、「原稿原画の情報・加工条件」等の横方向の一列の並びを、一つの項目として、複数段の項目を表示するメニュー内容の表示・変更部２６Ｃや、このメニュー内容の表示・変更部２６Ｃの項目の表示や内容を変更等する為の表示部（項目の移動指示部１９１、メニュー名のかな入力指示部１９２、メニューの削除指示部１９３等）や、変更等したメニュー内容の表示・変更部２６Ｃを処理する為の表示部（操作盤にメニューの登録指示部１３ｃ、画面にメニューの登録指示部１４ｃ、原稿原画の情報の保存指示部５ｃ等）を表示する。
【０１３２】
項目（「ＮＯ」、「区分」、「原稿原画の情報・加工条件」）の移動は、項目の移動指示部１９１である「↑」、「↓」の表示部の選択により実施し、各項目の目視確認や変更や並び替え等を実施する。
尚、項目の最上段（◎位置）は、項目の変更や並び替え等を実施する場所である。
尚、項目の登録可能数は、メニュー内容の表示・変更部２６Ｃの表示項目数より多く記憶することが可能であり、非表示となっている項目は、「↑」、「↓」の表示部の選択により随時表示する。
【０１３３】
項目の「ＮＯ」は、登録・保存番号を示す。
登録・保存番号は、先に示した様に、配置順位が変わっても、変わらない。
図例では、保存した原稿原画に記録された情報を、１〜１００に、変更（登録）した加工条件を１０１〜に、自動的に振り分けている。
【０１３４】
登録・保存番号は、「↑」、「↓」の表示部と、図３の操作盤１の登録・保存メニューのスタート指示部１０Ｂ（数字キーの上部の「●」部分）により、変更及び編集（集約）する手段を備える。
【０１３５】
具体的には、メニュー内容の表示・変更部２６Ｃである「↑」、「↓」の表示部の選択は、使用者が変更又は編集したい項目を矢印方向に移動し、項目の最上段（◎位置）に設定する。
移動、設定後、例えば、登録・保存メニューのスタート指示部１０Ｂ（数字キーの上部の「●」部分）の「＃」、「０」、「０」、「６」で、登録・保存番号が６に変更される。
移動、設定後、例えば、登録・保存メニューのスタート指示部１０Ｂ（数字キーの上部の「●」部分）の「＃」、「０」、「６」、「＊」で、登録・保存番号が６１〜７０の空き番号に変更される。
即ち、「＃」、「０」、「６」、「＊」の繰り返しで、選択した登録・保存番号が６１〜７０に編集（集約）される。
【０１３６】
いずれも、指定した登録・保存番号に空き番号が無い場合は、「エラー」の表示がされる。
【０１３７】
項目の「区分」は、例えば、「条件」と「原稿」の表示で示す。
「条件」の表示は、登録・保存内容が変更した加工条件を示す。
「原稿」の表示は、登録・保存内容が保存した原稿原画に記録された情報を示す。
尚、「区分」の表示部は、設置を省略する事が可能である。
【０１３８】
項目の「原稿原画の情報・加工条件」の「加工条件」は、変更（登録）した登録メニュー名、登録メニュー内容が表示される。
或は、例えば、生産者が「書類１」、「書類２」、「資料１」、「資料２」、「チラシ」、「ポスター」等の名前を記憶装置内に設け、使用者がこれを取り出し、「加工条件」に表示する事を可能にする。
【０１３９】
項目の「原稿原画の情報・加工条件」の「原稿原画の情報」は、保存した原稿原画に記録された情報に関して表示される。
例えば、走査の原稿原画の読み取り手段で読み取った原稿に記録された情報の始まり部分の数個以下或いは十数個以下の文字が、「原稿原画の情報」名として自動で表示される。
（図５の代表例は、「加工問題点報」、「生産日報」、「作業日報」‥‥‥等と、６文字以下で、「原稿原画の情報」名として表示されている。）
【０１４０】
或いは、走査の原稿原画の読み取り手段で読み取った原稿に記録された情報の全体を縮小サイズにして、自動で表示される。
或いは、走査の原稿原画の読み取り手段で読み取った原稿に記録された情報を縮小サイズにして、分割した一部が、（例えば、１／３や１／４の情報の始まり部分を、）自動で表示される。
或いは、走査の原稿原画の読み取り手段で読み取った原稿に記録された情報を、原稿原画の情報の保存指示部５である「情報保存」ボタンの選択後、登録・保存メニューのスタート指示部１０Ｂ（数字キーの上部の「●」部分）で、行指定を行ない、「原稿原画の情報」名として表示される。
（例えば、「情報保存」ボタンの選択後、数字キーの「０」、「１」の選択で、原稿に記録された情報の１行目の表示可能な文字数が、「原稿原画の情報」名として表示される。）
【０１４１】
或いは、登録をした「年」、「月」、「日」、「時間」が、「原稿原画の情報」名として自動で表示される。
【０１４２】
或いは、図５の代表例で示す様に、メニュー名のかな入力指示部１９２である「かな入力」の表示部を設け、ひらがなキーによる入力画面を表示する手段を設け、入力した文字が、「原稿原画の情報」名として表示される。
このひらがなキーによる入力画面を表示する手段は、既に表示されている「原稿原画の情報」の表示内容を変更して表示する手段或いは併記して表示する手段或いは新規に表示する手段が可能である。
【０１４３】
前記の項目の「原稿原画の情報」は、保存時の「加工条件」や「加工枚数」を併記して表示する事を可能にする。（図５の代表例は、「加工枚数」が併記されている。）
【０１４４】
【０１４５】
【０１４６】
【０１４７】
【０１４８】
この登録・保存番号は、削除不可や変更不可にする登録・保存番号の固定化を可能にする。
例えば、使用頻度の高い登録・保存メニューを指定する番号（例えば、１〜１０）に登録して、登録・保存番号が容量を超えても或は変更を試みても、この指定番号（例えば、１〜１０）は、自動的に削除や変更されない手段を設ける事が可能である。
【０１４９】
メニューの削除指示部１９３である「削除」の表示部の選択は、項目の削除を実施する。
即ち、項目の欄の使用者が削除したい項目を、「↑」、「↓」の表示部の選択により、項目の最上段（◎位置）に移動後、「削除」の表示部の選択をして、項目欄の表示部の中から削除する。
【０１５０】
変更等した表示部を処理する為の表示部（操作盤にメニューの登録指示部１３ｃ、画面にメニューの登録指示部１４ｃ、原稿原画の情報の保存指示部５ｃ等）は、すでに記載した要領に準じて実施する。
念の為、この一部を次に著す。
【０１５１】
操作盤にメニューの登録指示部１３ｃである「操作盤に登録」の表示部の一押しにより、変更したメニューを変更式登録メニューの告知部３Ｂに登録メニューとして登録をする。
登録した変更式登録メニューは、登録・保存番号を付けて、数字キーで管理する事を可能にする。
（尚、同様に、固定式登録メニューも、予め、登録・保存番号を付けておき、数字キーで管理する事を可能にする。）
【０１５２】
画面にメニューの登録指示部１４ｃである「画面に登録」の表示部の一押しにより、変更したメニューを登録・保存メニューの画面２Ｃのメニュー内容の表示・変更部２６Ｃに登録をする。
【０１５３】
【０１５４】
原稿原画の情報の保存指示部５ｃである「情報保存」ボタンは、ガラス盤上にセットした原稿原画に記録された情報の保存を、この一押しで実施する。
尚、原稿原画の情報の保存指示部５ｃによる情報保存の加工条件は、変更した登録・保存メニューの加工条件で実施される。
【０１５５】
【０１５６】
【０１５７】
図６は、サブ操作盤２０に関して示している。
図６は、メモ板又はメモ入れ２１に関して示している。
【０１５８】
使用者が希望するサブ操作盤２０（図６）は、図３で示すサブ操作盤の選択部１２により、複数枚に設けたサブ操作盤の中から取り出される。
【０１５９】
このサブ操作盤２０は、操作盤内に収納され、サブ操作盤の選択部１２の押し下げにより、収納時に蓄えられた弾力或いは原動部より伝導する動力により自動で押し出される手段を備える。
【０１６０】
図６の代表例で示すサブ操作盤２０ｄは、登録・保存メニューの登録・保存番号やメニュー内容を記録したメモ板又はメモ入れ２１を収納する為の収納部を備える。
【０１６１】
メモ板又はメモ入れ２１は、登録・保存番号をメモする為の白板又は登録・保存番号を記録したメモを収納する為の表面がクリアな入れ物等である。
【０１６２】
登録・保存メニューのスタート指示部１０Ｂ（数字キー）による加工の作業は、画面２（メーン画面）が表示されなくとも、登録・保存番号を記録したメモ板又はメモ入れのメモを確認すれば、作業が実施可能である。
【０１６３】
【０１６４】
【０１６５】
【０１６６】
【０１６７】
【０１６８】
【０１６９】
【０１７０】
【０１７１】
【０１７２】
【０１７３】
【０１７４】
【０１７５】
【０１７６】
【０１７７】
【０１７８】
【０１７９】
【０１８０】
【０１８１】
【０１８２】
【０１８３】
【０１８４】
【０１８５】
【０１８６】
【０１８７】
【０１８８】
【０１８９】
【０１９０】
【０１９１】
【０１９２】
【０１９３】
【０１９４】
【０１９５】
【０１９６】
【０１９７】
【０１９８】
【０１９９】
【０２００】
【０２０１】
【０２０２】
【０２０３】
【０２０４】
以上、本発明に関する装置の各部の詳細について示したが、これ以降は、画面２を表示しない場合の具体的な実施例の代表例について示す。
例えば、図３において、画面２を表示せず、「原稿サイズ」が「Ａ４」、「用紙サイズ」が「Ａ４」、（「倍率」が「１００％」、「用紙サイズ」が「自動」、）「カラー」が「カラー」、「枚数」が「１枚」、のコピーを実施する場合。
画面切り替えスイッチ７である「画面切替」のスイッチを「非表示」→電源スイッチ２３を「ＯＮ」→（ガラス板上に原稿原画をセット→）「標準コピー」（固定式登録メニューの告知部３Ａ）の登録メニューのスタート指示部４ａである「カラーＴスタート」を押す。
【０２０５】
【０２０６】
【０２０７】
【０２０８】
例えば、図３において、画面２を表示せず、「原稿サイズ」が「Ａ４」、「用紙サイズ」が「Ａ５」、（「倍率」が「７０％」、「サイズ」が「自動」、）「カラー」が「モノクロ」、「枚数」が「１枚」、のコピーを実施する場合。
画面切り替えスイッチ７である「画面切替」のスイッチを「非表示」→電源スイッチ２３を「ＯＮ」→（ガラス板上に原稿原画をセット→）「紙、インクを半分にする。」（変更式登録メニューの告知部３Ｂ）の登録メニューのスタート指示部４ａである「Ｔスタート」を押す。
【０２０９】
例えば、図３において、画面２を表示せず、「原稿サイズ」が「Ａ４」、「用紙サイズ」が「Ａ４」、（「倍率」が「１００％」、「サイズ」が「自動」、）「カラー」が「カラー」、「枚数」が「１枚」、の条件で原稿原画の情報の保存を実施する場合。
画面切り替えスイッチ７である「画面切替」のスイッチを「非表示」→電源スイッチ２３を「ＯＮ」→（ガラス板上に原稿原画をセット→）「標準コピー」（固定式登録メニューの告知部３Ａ）の原稿原画の情報の保存指示部５ａである「カラー情報保存」を押す。
【０２１０】
例えば、図３において、画面２を表示せず、「提案用紙」の原稿を「１０」枚、コピーをする場合。
画面切り替えスイッチ７である「画面切替」のスイッチを「非表示」→電源スイッチ２３を「ＯＮ」→（ガラス板上に原稿原画をセットする必要が無い→）登録・保存メニューのスタート指示部１０Ｂ（数字キー１０の上部の「●」の専用ボタン）の「１」と「６」と「＃」を押す。
尚、「提案用紙」の原稿の登録・保存番号の「１６」が、解らない場合は、図６のサブ操作盤２０ｄに設けたメモ板又はメモ入れ２１で確認する。
或いは、図５の登録・保存メニューの画面２Ｃを表示し、メニュー内容の表示・変更部２６Ｃで確認する。
【０２１１】
【０２１２】
【０２１３】
【０２１４】
【０２１５】
【０２１６】
【０２１７】
【０２１８】
【０２１９】
【０２２０】
【０２２１】
【０２２２】
【０２２３】
例えば、先に著した音声指示手段（ア−１）で、画面２を表示せず、「原稿サイズ」が「Ａ４」、「用紙サイズ」が「Ａ４」、（「倍率」が「１００％」、「用紙サイズ」が「自動」、）「枚数」が「１枚」、「カラー」が「カラー」、のコピーを実施する場合。
図３の画面切り替えスイッチ７である「画面切替」のスイッチを「非表示」→図３の電源スイッチ２３を「ＯＮ」→（ガラス板上に原稿原画をセット）ガラス板上に原稿原画をセットする事によりコピーの自動アナウンスを開始→「標準コピーですか？」、「はい」→「カラーはカラーですか？」、「はい」→「コピー実行」。
【０２２４】
或いは、図３の画面切り替えスイッチ７である「画面切替」のスイッチを「非表示」→図３の電源スイッチ２３を「ＯＮ」→（ガラス板上に原稿原画をセット）ガラス板上に原稿原画をセットする事によりコピーの自動アナウンスを開始→「倍率は１００％ですか？」、「はい」→「用紙サイズは自動ですか？」、「はい」→「カラーはカラーですか？」、「はい」→「枚数は１枚ですか？」、「はい」→「その他の条件を設定しますか？」、「いいえ」→「コピー実行」。
【０２２５】
例えば、先に著した音声指示手段（ア−２）で、画面２を表示せず、「原稿サイズ」が「Ａ４」、「用紙サイズ」が「Ａ４」、（「倍率」が「１００％」、「用紙サイズ」が「自動」、）「カラー」が「モノクロ」、「枚数」が「１枚」、のコピーを実施する場合。
図３の画面切り替えスイッチ７である「画面切替」のスイッチを「非表示」→図３の電源スイッチ２３を「ＯＮ」→（ガラス板上に原稿原画をセット）ガラス板上に原稿原画をセットする事によりコピーの自動アナウンスを開始→「コピ−条件を設定して下さい」→「倍率が１００％」、「用紙サイズが自動」、「カラーがモノクロ」、「枚数が１枚」、「コピー実行」。
【０２２６】
【０２２７】
【０２２８】
【産業上の利用可能性】
【０２２９】
本発明の技術は、ファクスにも設置が可能である。
【符号の説明】
【０２３０】
１      操作盤
２Ａ    非表示の画面（メーン画面）
２Ｂ    メニューの変更画面（メーン画面）
２Ｃ    登録・保存メニューの画面（メーン画面）
３Ａ    固定式登録メニューの告知部（登録メニューの告知部）
３Ｂ    変更式登録メニューの告知部（登録メニューの告知部）
４      登録メニューのスタート指示部
５      原稿原画の情報の保存指示部
６      メニューの変更指示部
７      画面切り替えスイッチ
８      登録・保存番号表示部
９      枚数表示部
９Ａ    枚数変更中を告知する表示部
１０    数字キー
１０Ａ  枚数の変更指示部（数字キー）
１０Ｂ  登録・保存メニューのスタート指示部（数字キー）
１１    数字キーのロック部
１２    サブ操作盤の選択部
１３    操作盤にメニューの登録指示部
１４    画面にメニューの登録指示部
１８    画面変更の指示部
１９２  メニュー名のかな入力指示部
１９３  メニューの削除指示部
２０    サブ操作盤
２１    メモ板又はメモ入れ
２３    電源スイッチ
２４    スタート指示部
２５    従来技術のメーン画面の表示画面
【図１】
0005641509.tif 000002
【図２】
0005641509.tif 000003
【図３】
0005641509.tif 000004
【図４】
0005641509.tif 000005
【図５】
0005641509.tif 000006
【図６】
0005641509.tif 000007